(57)【特許請求の範囲】
【請求項１】
前面を開口した断熱壁にて形成されるケース本体の庫内に、商品を陳列する複数段の陳列棚を備え、前記断熱壁の上部に冷気吹出口を設け、該冷気吹出口の後方に、冷気吹出口と庫内とを仕切る略鉛直方向に延びる整流板を備えたオープンショーケースにおいて、
前記整流板の下端に、該整流板と略面一となるように下方に延びるシェードを取り付け、該シェードの裏面に庫内照明用のランプを設けたことを特徴とするオープンショーケース。
【請求項２】
前面を開口した断熱壁にて形成されるケース本体の庫内に、商品を陳列する複数段の陳列棚を備え、前記断熱壁の上部に冷気の吹出口を設け、該冷気吹出口の後方に、冷気吹出口と庫内とを仕切る略鉛直方向に延びる整流板を備えたオープンショーケースにおいて、
前記整流板の下端に、着脱自在なシェードを設け、このシェードを取り付けない時は整流板裏側に固定したホルダーにランプを取り付けるようにし、シェードを取り付けた時はこの整流板に取り付けたシェードの裏側に固定したホルダーにランプを取り付けるようにしたことを特徴とするオープンショーケース。
【請求項３】
前記シェードは、半透明体からなることを特徴とする請求項１又は２記載のオープンショーケース。
【請求項４】
前記ランプのホルダーは、透明体からなることを特徴とする請求項１又は２記載のオープンショーケース。
【請求項５】
請求項１記載のオープンショーケースを複数台横並びに設置し、隣接するショーケースの側端面同士を突き合わせて連結する場合において、隣接するシェードの裏側に、その継ぎ目に跨って透明の連結具を配置し、この連結具を両シェードにネジ止めすることによって両シェード間を連結したことを特徴とするオープンショーケース。  
【発明の詳細な説明】
【０００１】
【発明の属する技術分野】
本発明は、ケース庫内天井部に庫内照明用のランプを有するオープンショーケースの構造に係り、特に、該ランプ周りのシェード等の取付構造に関する。
【０００２】
【従来の技術】
近年、商品ロスの防止から陳列商品アイテムの絞り込み（棚数の減少）が行われ、また、演出効果の向上を狙って、庫内上部後方に設置される背面ミラーの大型化が図られている。
そして、この背面ミラーの大型化により、最上段棚と庫内天井部のランプとの距離が遠くなり、陳列棚間の明るさ（照度）と比較すると、最上段棚が暗く見える、即ち、照度バランスが良くないと言った問題が出てきた。
そのため、この照度バランスを改善する目的で、庫内天井部の照明（ランプ）を２灯にしたり、インバータバラストを使用して、庫内天井部のランプ照度を上げるなどの対策が採られている。
【０００３】
【発明が解決しようとする課題】
しかしながら、ランプを２灯にしたり、インバータバラストを使用して照度を向上させる手段では、コスト高となってしまう。また、最上段棚と冷気吹出口との距離も長くなるため、エアカーテンの形成負荷も増大して、その分電力消費量も増大してしまう。そのため、省エネが叫ばれている今日においては、実用的ではない。
【０００４】
本発明は、上記の課題に鑑み創案されたもので、陳列商品アイテムの絞り込みと庫内の背面ミラーの大型化の要求に答えつつ、最上段棚の照度アップを図るとともに、電力消費量の増大とはならないオープンショーケースを提供することを目的とする。
【０００５】
【課題を解決するための手段】
上記の課題を解決するため、本発明においては、前面を開口した断熱壁にて形成されるケース本体の庫内に、商品を陳列する複数段の陳列棚を備え、前記断熱壁の上部に冷気の吹出口を設け、該冷気吹出口の後方に、冷気吹出口と庫内とを仕切る略鉛直方向に延びる整流板を備えたオープンショーケースにおいて、前記整流板の下端に、該整流板と略面一となるように下方に延びるシェードを取り付け、該シェードの裏側に庫内照明用のランプを配設したことを特徴としている。
このように、シェードを取り付け、その裏にランプを配設することにより、庫内天井部から最上段棚までの距離が長い場合にも、照明位置が下方に来るため、最上段棚の照度が良好となる。
【０００６】
このシェードは、容易に着脱でき、後付けが簡単にできるように、ユリアネジ等で整流板の下端に取り付けるのが好ましい。また、このシェードを取り付けない時のランプ位置は整流板裏側とし、シェードを取り付けた時のランプ位置は整流板裏側より下方のシェード裏側とするのがよい。
このシェードは、例えば、乳白アクリル板等の半透明体からなることが好ましく、ランプのホルダーは、影が映らないように透明体からなることが好ましい。
【０００７】
そして、このオープンショーケースを複数台横並びに設置し、隣接するショーケースの側端面同士を突き合わせて連結する場合において、隣接するシェードの裏側に、その継ぎ目に跨って透明の連結具を配置し、この連結具を両シェードにネジ止めすることによって両シェード間を連結する。
【０００８】
この連結具としては、透明体を用いているので、シェードに影が映り込まないで済む。なお、本発明のシェードとしては、厚さを２．０〜３．０ｍｍ程度に厚くし、歪みを防止できるようにしたものを用いるのが好ましい。
【０００９】
【発明の実施の形態】
以下、本発明の好適な実施の形態を図面に基づいて説明する。
図１は本発明のシェードを適用したオープンショーケースの断面側面図、図２はシェード取り付け状態の詳細を示す拡大断面図、図３は隣接するシェードの裏面に連結具を締結する状態の分解斜視図、図４はショーケース側板と当接するシェード端部に振れ止め具を締結する状態の分解斜視図である。
【００１０】
まず、図１、図２に示すように、このショーケース１は、前面を開口した断熱壁にて形成されるケース本体１ａを有し、二重のエアカーテン構造を持つもので、上層の非冷空気のエアカーテンが下層の冷気のエアカーテンを保護するようになっている。２つのハニカム状の吹出口（非冷空気吹出口２及び冷気吹出口３）から吹き出されたそれぞれの空気は吸込口４を通ってそれぞれのファン（図示せず）により誘引され、冷気側の空気のみが冷却器（図示せず）により冷やされ、それぞれ非冷空気ダクト（外層ダクト）５，冷気ダクト（内層ダクト）６を通って、再び吹出口２，３から下方に向けて吹き出される構造となっている。なお、図１において、内外層のダクトは省略してある。
【００１１】
ショーケース１の庫内には、複数段の商品陳列棚７ａ，７ｂ，７ｃが設けられ、その陳列棚先端下面には、それぞれ棚照明ランプ８ａ，８ｂ，８ｃが設けられている。また、最上段棚７ａと庫内天井板９間には、演出効果を出すため、大型の背面ミラー１０が設けられている。
【００１２】
断熱壁１ａの上部である庫内天井板９の先端に設けられた冷気吹出口３の後方には、この冷気吹出口３と庫内とを仕切るための整流板１１が設けられている。この整流板１１は、略鉛直方向に延び、その下端を後方に折り曲げて形成された係止辺１１ａを備えている。また、整流板１１の裏側には、庫内天井板９に固着された照明チャネル９ａに取り付けられて、ランプホルダー１２が配設されている。
【００１３】
そして、この整流板１１下端の係止辺１１ａには、整流板１１と略面一（略同一平面状態）となるように下方に延びるシェード１３が、裏側にランプホルダー１５を伴って取り付けられている。このシェード１３は、容易に後付けできるように、ユリアネジ１４等により整流板１１の係止辺１１ａに着脱自在に取り付けられており、取り付け後にランプホルダー１５にランプ１６をはめ込む。
このように、整流板１１の下端にシェード１３を取り付け、その裏にランプ１６を配設することにより、庫内天井板９から最上段棚７ａまでの距離が長い場合にも、照明位置が下方に来るため、最上段棚７ａの照度が良好となる。
【００１４】
なお、この実施形態においては、シェード１３が容易に着脱でき、後付けが簡単にできるように、ユリアネジ等で整流板１１の下端に取り付けているが、シェード１３を取り付けない時には、整流板１１の裏側に配置したランプホルダー１２にランプを取り付けて使用することができる。
このシェード１３は、例えば、乳白アクリル板等の半透明体からなることが好ましく、ランプ１６のホルダー１５は、影が映らないように透明体からなることが好ましい。また、このシェード１３は、厚さを２．０〜３．０ｍｍ程度に厚くし、歪みを防止できるようにしたものを用いるのが好ましい。
【００１５】
そして、このオープンショーケース１を複数台横並びに設置し、隣接するショーケース１の側端面同士を突き合わせて連結する場合においては、図３に詳細を示すように、隣接するシェード１３，１３の裏側に、その継ぎ目に跨って透明の連結具１７を配置し、この連結具１７を両シェード１３，１３にネジ止めすることによって、両シェード１３，１３間を連結することができる。
【００１６】
また、同様にショーケース１，１を横並び配置する場合において、図４に詳細を示すように、ケース側板と当接する側のシェード側端部１３ａの裏側に、透明の振れ止め具１８を配置し、この振れ止め具１８をシェード１３にネジ止めし、該シェード１３の振れを防止することができる。なお、この振れ止め具１８は、ショーケース１を単体で使用する場合にも、シェード１３の側端部１３ａに取り付けると、シェードの振れ止めとなって好ましい。
これら連結具１７及び振れ止め具１８は、アクリル又はポリカーボネート等の透明体の成形品であると、シェードに影が映らず見栄えを害さないため、好適である。
【００１７】
このように冷気吹出口３と庫内とを仕切る整流板１１の下端に、シェード１３を取り付け、その裏側にランプ１６を配置するようにすると、庫内天井板９と最上段棚７ａとの距離が長い場合であっても、ランプ１６は最上段棚７ａに近づけることができ、電力消費量の増大を防止しつつ、最上段棚７ａの照度アップを図ることができる。例えば、４０ｍｍ下がると、最上段棚７ａの照度が３２００ルクスから３６００ルクスに改善でき、約１０％の照度アップとなった。しかも、背面ミラー１０への反射による効果もアップする。
【００１８】
また、このシェード１３が、吹出口から吹き出される冷気のエアカーテンの形成を助けるため、冷却負荷が増大せず、電力消費量を減少できる。例えば、４０ｍｍの下げ幅を有するシェード１３を取り付けると、このシェード１３が、整流板の役目をしてエアカーテンの形成を助けるために整流効果が高まり、同一棚構成の時の比較で、５％の省エネ効果がある。
【００１９】
【発明の効果】
以上説明したように、本発明のオープンショーケースによれば、次のような効果を奏する。
（１）整流板下端に取り付けられたシェードによって、ランプを最上段棚に近づけることができ、最上段棚の照度アップを図ることができる。しかも、従来の如くランプを２灯にしないので、電力消費量を増大させることはない。
（２）整流板に連続して略面一に取り付けられたシェードが、吹出口から吹き出される冷気のエアカーテンの形成を助けるため、冷却負荷が増大せず、電力消費量を減少できる。
（３）現場でショーケースの陳列棚を４段から３段に変更したような場合にも、後付け容易なシェードを取り付けることによって、最上段棚の照度低下を簡単に防ぐことができるとともに、エアカーテンの乱れによる電力消費量アップを防ぐことができる。
（４）シェードの連結具を透明体としたので、シェードにその影が映り込むことはない。
（５）シェードを設けることにより、背面ミラーの上部に足下の写りが見えなくなった。
（６）シェードが、庫内天井部のランプを透かして行灯（あんどん）風に見えるため、アクセントになって人目を引き、陳列商品を目立たせることができる。
【図面の簡単な説明】
【図１】本発明のシェードを適用したオープンショーケースの断面側面図である。
【図２】シェード取り付け状態の詳細を示す拡大断面図である。
【図３】隣接するシェードの裏面に連結具を締結する状態の分解斜視図である。
【図４】ショーケース側板と当接するシェード端部に振れ止め具を締結する状態の分解斜視図である。
【符号の説明】
１  ショーケース
１ａ  ケース本体
２  非冷空気吹出口
３  冷気吹出口
４  吸込口
５  非冷空気ダクト（外層ダクト）
６  冷気ダクト（内層ダクト）
７ａ，７ｂ，７ｃ  陳列棚
８ａ，８ｂ，８ｃ  ランプ
９  庫内天井板
１０  背面ミラー
１１  整流板
１１ａ  係止辺
１２  ランプホルダー
１３  シェード
１４  ユリアネジ
１５  ランプホルダー
１６  ランプ
１７  連結具
１８  振れ止め具
【図１】
0003555750.tif 000002
【図２】
0003555750.tif 000003
【図３】
0003555750.tif 000004
【図４】
0003555750.tif 000005